(57)【要約】【課題】１２セグ放送は専用のデコーダで復調し、ワンセグ放送はソフトウエアで復調する移動体用受信機において、１２セグ放送からワンセグ放送への切替時間を短縮する。【解決手段】受信感度が所定レベル以下に低下した時に、所定時間の経過前にワンセグ放送の映像のデコードをソフトウエアで開始し、ワンセグ映像デコードによってワンセグ映像が出力可能になった時点で、受信感度が回復しない場合にワンセグ映像を出力し、ワンセグ映像が出力されたら、ワンセグ放送の音声のデコードを開始し、ワンセグ音声が出力可能になった時点で、ワンセグ音声を出力する移動体用受信装置である。【選択図】図３
2010219678.tif 000002
【特許請求の範囲】
【請求項１】
地上波デジタルテレビ放送を受信して、１２セグ放送は１２セグ放送受信専用のデコーダでデコードして映像と音声を出力し、前記地上波デジタルテレビ放送の受信感度が所定レベル以下に低下した場合で、所定時間内に前記受信感度が回復しない場合にワンセグ放送のソフトウエアによるデコードを開始して受信放送を切り替える移動体用受信装置において、
前記受信感度が前記所定レベル以下に低下した場合で、前記所定時間が経過する前にワンセグ放送の映像のデコードを開始するワンセグ映像デコード手段と、
前記所定時間内に前記受信感度が回復しない場合にワンセグ映像デコード手段によりデコードされたワンセグ映像を出力するワンセグ映像出力手段と、
前記所定時間が経過したら、ワンセグ放送の音声のデコードを開始するワンセグ音声デコード手段と、
前記ワンセグ音声デコード手段によってワンセグ音声が出力可能になった時点で、前記ワンセグ音声を出力するワンセグ音声出力手段とを備えることを特徴とする移動体用受信装置。
【請求項２】
前記ワンセグ映像出力手段は、前記ワンセグ映像デコード手段によってワンセグ映像が出力可能になった時点で前記ワンセグ映像を出力し、
前記ワンセグ音声デコード手段は、前記ワンセグ映像デコード手段によってワンセグ映像が出力可能になる前に、前記所定時間が経過したら、ワンセグ放送の音声のデコードを開始することを特徴とする請求項１に記載の移動体用受信装置。
【請求項３】
地上波デジタルテレビ放送を受信して、１２セグ放送は１２セグ放送受信専用のデコーダでデコードして映像と音声を出力し、前記地上波デジタルテレビ放送の受信感度が所定レベル以下に低下した場合で、所定時間内に前記受信感度が回復しない場合にワンセグ放送のソフトウエアによるデコードを開始して受信放送を切り替える移動体用受信装置において、
前記受信感度が前記所定レベルより高い準備レベル以下に低下した場合に、ワンセグ放送の映像のデコードを開始するワンセグ映像デコード手段と、
前記受信感度が前記所定レベル以下に低下した場合で、前記所定時間内に受信感度が回復しない場合に、前記ワンセグ映像デコード手段によりデコードされたワンセグ映像を出力するワンセグ映像出力手段と、
前記所定時間が経過したら、ワンセグ放送の音声のデコードを開始するワンセグ音声デコード手段と、
前記ワンセグ音声デコード手段によってワンセグ音声が出力可能になった時点で、前記ワンセグ音声を出力するワンセグ音声出力手段とを備えることを特徴とする移動体用受信装置。
【請求項４】
前記ワンセグ映像出力手段は、前記ワンセグ映像デコード手段によってワンセグ映像が出力可能になった時点で前記ワンセグ映像を出力し、
前記ワンセグ音声デコード手段は、前記ワンセグ映像デコード手段によってワンセグ映像が出力可能になる前に、前記所定時間が経過したら、ワンセグ放送の音声のデコードを開始することを特徴とする請求項３に記載の移動体用受信装置。
【発明の詳細な説明】
【技術分野】
【０００１】
本発明は移動体用受信装置に関し、特に車両等の移動体に搭載された地上波デジタルテレビ放送の受信装置であって、受信電波状況に応じて受信セグメントを切り替え可能な移動体用受信装置に関する。
【背景技術】
【０００２】
近年、テレビ放送のデジタル化が進んでおり、特に、地上に建てたアンテナから電波を送信する地上波デジタルテレビ放送の普及が急ピッチで行われている。地上波デジタルテレビ放送ではＵＨＦ帯域が使用され、１チャンネル当たり６ＭＨｚの帯域が割り当てられた分割単位がセグメントとして規定されている。テレビ放送用としては１３個のセグメントが割り当てられ、このうち１２個のセグメントがハイビジョン放送に使用され、残りの１つのセグメントが簡易動画セグメントとして使用されている。ハイビジョン放送は１２セグ放送と呼ばれ、１つのセグメントを使用した放送はワンセグ放送と呼ばれている。
【０００３】
このような２種類の地上波デジタルテレビ放送のうち、１２セグ放送は移動受信には弱いが、広帯域を利用して高品質のハイビジョン画像とサラウンド音声を送信することができる。一方、ワンセグ放送は狭い帯域の中に低いビットレートで画像と音声を送信するので低品質の映像となり、４インチを超えるサイズの表示器に映像を表示させると粗い画像となるが、移動受信に強い受信方式である。
【０００４】
このため、車両等の移動体に搭載される７インチ程度の表示器を備えたカーナビゲーション装置では、１２セグ放送の受信機とワンセグ放送の受信機を両方搭載して、走行地域の電波状態に応じて受信を切り替えるものがある。即ち、電波状態が良い地域では１２セグ放送を受信して表示器に高品質のテレビ放送を表示し、電波状態が悪い地域ではワンセグ放送を受信して、画質は悪いが安定した画像を表示するようにしているカーナビゲーション装置がある（特許文献１参照）。
【０００５】
また、１２セグ放送とワンセグ放送を両方受信できる受信機では、システム構成の簡易化とコスト削減のために、１２セグ放送は１２セグ放送受信専用のハードデコーダを搭載して復調している。一方、ワンセグ放送はデータ放送取得等が不要な場合ＣＰＵの処理負荷が小さいことから、ワンセグ放送に対してはワンセグ放送受信専用のハードデコーダを搭載せず、ソフトウエアでデコードを行うソフトデコードを採用して、ＣＰＵの有効利用を図ることが行われている。
【先行技術文献】
【特許文献】
【０００６】
【特許文献１】特開２００７−２６７０２７号公報（図４）
【発明の概要】
【発明が解決しようとする課題】
【０００７】
ところが、１２セグ放送とワンセグ放送の受信を切り替えることが可能な移動体用の受信機では、受信感度の良くない地域（フリンジエリア）に入って１２セグ放送からワンセグ放送への自動切替が行われると、ワンセグ放送が受信可能になるまでの間、ワンセグ映像及び音声が出ない黒画面が表示器から出力される。これは、このような受信機では、フリンジエリアに入ってから所定のヒステリシス期間を待って、その所定のヒステリシス期間内に受信状態が復帰されない場合に、ワンセグ放送のデコード処理を開始するので、１２セグ放送、ワンセグ放送の何れも出力できない期間は、黒画面を表示させているためである。そして、特にワンセグ映像のデコード処理は処理完了までに時間がかかるため、ユーザに黒画面が出力されている期間（１２セグ放送からワンセグ放送に切り替えるための準備期間）にストレスを感じさせたり、違和感を感じさせたりしてしまう。
【０００８】
本発明の目的は、地上波デジタル放送の受信状況に応じて１２セグ放送とワンセグ放送とを自動切り替えする移動体用受信機において、フリンジエリアに入ってからワンセグ映像と音声が表示器から出力されるまでの時間を、ワンセグ放送をソフトデコードで復調することによって短縮し、ユーザが１２セグ放送からワンセグ放送への自動切替時に感じるストレスや違和感を低減できる移動体用受信機を提供することにある。これに加えて、本発明は、デコードが必要と判断したときに、最適なタイミングでデコードの動作を制御することにより、ＣＰＵの動作負荷を低減することができる移動体用受信機を提供することも目的としている。
【課題を解決するための手段】
【０００９】
前記目的を達成する本発明の移動体用受信機の第１の形態は、地上波デジタルテレビ放送を受信して、１２セグ放送は１２セグ放送受信専用のデコーダでデコードして映像と音声を出力し、地上波デジタルテレビ放送の受信感度が所定レベル以下に低下した場合で、所定時間内に受信感度が回復しない場合にワンセグ放送のソフトウエアによるデコードを開始して受信放送を切り替える移動体用受信装置において、受信感度が所定レベル以下に低下した場合で、所定時間が経過する前にワンセグ放送の映像のデコードを開始するワンセグ映像デコード手段と、所定時間内に受信感度が回復しない場合にワンセグ映像デコード手段によりデコードされたワンセグ映像を出力するワンセグ映像出力手段と、所定時間が経過したら、ワンセグ放送の音声のデコードを開始するワンセグ音声デコード手段と、ワンセグ音声デコード手段によってワンセグ音声が出力可能になった時点で、ワンセグ音声を出力するワンセグ音声出力手段とを備えることを特徴としている。
【００１０】
前記目的を達成する本発明の移動体用受信機の第２の形態は、地上波デジタルテレビ放送を受信して、１２セグ放送は１２セグ放送受信専用のデコーダでデコードして映像と音声を出力し、地上波デジタルテレビ放送の受信感度が所定レベル以下に低下した場合で、所定時間内に受信感度が回復しない場合にワンセグ放送のソフトウエアによるデコードを開始して受信放送を切り替える移動体用受信装置において、受信感度が所定レベルより高い準備レベル以下に低下した場合に、ワンセグ放送の映像のデコードを開始するワンセグ映像デコード手段と、受信感度が所定レベル以下に低下した場合で、所定時間内に受信感度が回復しない場合に、ワンセグ映像デコード手段によりデコードされたワンセグ映像を出力するワンセグ映像出力手段と、所定時間が経過したら、ワンセグ放送の音声のデコードを開始するワンセグ音声デコード手段と、ワンセグ音声デコード手段によってワンセグ音声が出力可能になった時点で、ワンセグ音声を出力するワンセグ音声出力手段とを備えることを特徴としている。
【発明の効果】
【００１１】
本発明によれば、地上波デジタル放送の受信状況に応じて１２セグ放送とワンセグ放送とを自動切り替えする移動体用受信機において、ワンセグ放送はソフトデコードで復調することにより、フリンジエリアに入った後に、１２セグ放送からワンセグ放送に切り替わる場合に、ワンセグ映像と音声が表示器から出力されるまでの時間が短縮されるので、ユーザが１２セグ放送からワンセグ放送への自動切替時に感じるストレスや違和感を低減できるという効果がある。また、デコードが必要と判断されたときに、最適なタイミングでデコードの動作を制御するので、ＣＰＵの動作負荷を低減することができるという効果がある。
【図面の簡単な説明】
【００１２】
【図１】本発明の移動体用受信機の一実施例の構成を示すブロック回路図である。
【図２】従来の移動体用受信装置における、受信状態悪化時の１２セグ放送からワンセグ放送への切り替え動作を示すタイムチャートである。
【図３】本発明の移動体用受信装置における第１の実施例であり、受信状態悪化時に１２セグ放送からワンセグ放送に切り替える動作を示すタイムチャートである。
【図４】本発明の移動体用受信装置における第２の実施例であり、受信状態悪化時に１２セグ放送からワンセグ放送に切り替える動作を示すタイムチャートである。
【図５】本発明の移動体用受信装置における第３の実施例であり、受信状態悪化時に１２セグ放送からワンセグ放送に切り替える動作を示すタイムチャートである。
【図６】本発明の移動体用受信装置における第４の実施例であり、受信状態悪化時に１２セグ放送からワンセグ放送に切り替える動作を示すタイムチャートである。
【図７】本発明の移動体用受信装置における、受信状態回復時のワンセグ放送から１２セグ放送への切り替え動作の一実施例を示すタイムチャートである。
【図８】本発明の移動体用受信装置における、１２セグ受信中の動作の一実施例の手順を示すフローチャートである。
【図９】本発明の移動体用受信装置における、１２セグ受信中の動作の別の実施例の手順を示すフローチャートである。
【図１０】本発明の移動体用受信装置における、ワンセグ受信中の動作の一実施例の手順を示すフローチャートである。
【図１１】本発明の移動体用受信装置における第５の実施例であり、エラー率悪化時に１２セグ放送からワンセグ放送に切り替える動作を示すタイムチャートである。
【図１２】本発明の移動体用受信装置における第６の実施例であり、エラー率悪化時に１２セグ放送からワンセグ放送に切り替える動作を示すタイムチャートである。
【発明を実施するための形態】
【００１３】
以下、添付図面を用いて本発明の実施の形態を、具体的な実施例に基づいて詳細に説明する。
【００１４】
図１は、本発明の移動体用受信装置１０（以後単に受信装置１０という）の一実施例の構成を示すものであり、カーナビゲーション装置２０に接続された構成を示している。受信装置１０には４つのアンテナ１ＦＬ，１ＦＲ，１ＲＬ，１ＲＲがあり、それぞれ車両の左前方、右前方、左後方、及び右後方からの電波を受信するようになっている。４つのアンテナ１ＦＬ，１ＦＲ，１ＲＬ，１ＲＲは、それぞれアンテナアンプ２ＦＬ，２ＦＲ，２ＲＬ，２ＲＲを介して、受信装置１０の本体に設けられている前方アンテナ用のコネクタ１１Ｆと後方アンテナ用のコネクタ１１Ｒに同軸ケーブルを用いて接続されている。アンテナアンプ２ＦＬ，２ＦＲ，２ＲＬ，２ＲＲはそれぞれ、アンテナ１ＦＬ，１ＦＲ，１ＲＬ，１ＲＲと同軸ケーブルを接続するコネクタ内に実装されている。
【００１５】
受信装置１０には、アンテナ１ＦＬ，１ＦＲ，１ＲＬ，１ＲＲに接続するコネクタ１１Ｆ，１１Ｒと、カーナビゲーション装置２０に音声や映像を出力するコネクタ１９の間に、ＲＦ回路（チューナ）１２、ＯＦＤＭ復調回路、電源部１４、マイコン（マイクロコンピュータであって、音声（Ａ）と映像（Ｖ）をデコードするもの、図にはＡＶデコードと記載）１５、音声暗号化回路１６、ＭＯＳＴ回路１７、及び映像出力回路１８がある。ＲＦ回路１２内には４つのアンテナ１ＦＬ，１ＦＲ，１ＲＬ，１ＲＲに対応する４つのチューナ（図示せず）が設けられており、各チューナは受信した放送信号を中間周波数信号に変換してＯＦＤＭ復調回路１３に出力する。ＲＦ回路１２とＯＦＤＭ復調回路１３とを備えた二点鎖線で示す部分は集積回路化され、チューナモジュールと呼ばれることもある。
【００１６】
地上波デジタルテレビ放送はＵＨＦ帯の周波数を使用しており、変調方式としてＯＦＤＭ方式（直交周波数分割多重方式）の放送信号が使用されている。ＯＦＤＭ復調回路１３はＲＦ回路１２から入力された複数の中間周波数信号から最も感度の良い放送信号を選択して復調し、マイコン１５に出力する。マイコン１５は入力された放送信号を音声信号と映像信号に分離するデコード処理を行う。マイコン１５は入力された放送信号（１３セグメント）のうち、１２セグ放送用の１２セグメントをデコードしており、受信感度の悪い時だけワンセグ放送用の１セグメントをデコードする。マイコン１５は１２セグ放送用の１２セグメントのデコードを常時行っても良いが、ワンセグ放送用の１セグメントをデコードしている時は、１２セグ放送用の１２セグメントのデコードを中止しても良い。
【００１７】
マイコン１５は、分離した音声信号は音声暗号化回路１６、ＭＯＳＴ回路１７を通じてコネクタ１９からカーナビゲーション装置２０に出力し、映像信号は映像出力回路１８を通じてコネクタ１９からカーナビゲーション装置２０に出力する。ＭＯＳＴ回路１７は、入力された電気信号を、車両内で使用される情報機器用のネットワークの１つである光通信規格に対応した光信号に変換するものである。カーナビゲーション装置２０に入力された映像信号は、図示しない表示器に入力されて映像が表示され、音声信号は図示しないスピーカに入力されて音声となる。
【００１８】
ここで、以上のように構成され、１２セグ放送とワンセグ放送を両方受信可能な本発明の受信装置１０の、１２セグ放送とワンセグ放送の切り替え動作について説明するが、本発明の受信装置１０の動作を説明する前に、図２を用いて、受信感度の悪化時の従来の受信機における１２セグ放送からワンセグ放送への切り替え動作について説明する。なお、従来の受信機の構成については図示を省略するが、概ね図１で説明した本発明の実施例の受信装置１０とその構成は同じであり、マイコン１５の構成のみが異なる。
【００１９】
図２において、符号Ｗで示す特性が電波の受信状況（受信感度）を示している。ここでは、受信機を搭載した車両の移動により、受信状況が時刻Ｔ１で基準レベルＬ０から受信レベルＬ１まで悪化し、時刻Ｔ２で更に低い受信レベルＬ２まで悪化した状態を考える。ここで、受信レベルＬ１は１２セグ放送を受信して画像と音声が正しく再生されるレベルであり、受信レベルＬ２はワンセグ放送の画像と音声は正しく再生されるが、１２セグ放送は画像と音声が正しく再生されないレベルである。このような受信感度の良くない地域は、フリンジエリアと呼ばれる。
【００２０】
また、図２には受信機からの出力状態として、映像と音声の状態が示され、デコード状態として、１２セグ放送の映像デコード状態と音声デコード状態、及びワンセグ放送の映像デコード状態と音声デコード状態が示されている。なお、ワンセグ放送の復調とデコードは、前述のようにソフトウエアを用いて行うので、ワンセグ放送の映像デコードの前にはソフトウエアの設定が必要である。
【００２１】
従来の受信機では、受信レベルがＬ１からＬ２まで下がると、その途中の時刻ｔ１から時間の計数を開始し、受信レベルがＬ２に下がってからの時間が第１の基準時間Ａを越えたか否かを判定していた。そして、受信レベルがＬ２に下がってからの時間が、時刻ｔ２において第１の基準時間Ａを越えた場合は、１２セグ放送からワンセグ放送への受信の切り替えが実行されていた。この第１の基準時間Ａは、例えば１．８秒程度であり、この期間内は映像は１２セグ動画または静止画が出力されており、音声は１２セグ音声が出力されていた。また、受信状態がこの第１の基準時間Ａ内に第１のレベルＬ１を超えて回復すれば、１２セグ放送からワンセグ放送への受信の切り替えは実行されない。
【００２２】
時刻ｔ２において受信レベルがＬ２に下がってからの時間が第１の基準時間Ａを越えると、以下の処理が実行されていた。
（１）表示器に映す映像を黒映像（黒画）とする
（２）ミューティングをかけて音声出力を行わない
（３）１２セグ映像のデコードは継続する
（４）ワンセグソフトウエアの設定を行う（設定時間Ｂは約０．３秒である）
（５）１２セグ音声のデコードを中止する
【００２３】
時刻ｔ３において（４）のワンセグの設定が完了すると、時間の計数が開始され、ワンセグ映像のデコードが実行される。ワンセグ映像のデコードを第２の基準時間Ｃだけ続ければ、ワンセグ映像が出力可能になる。時刻ｔ３から第２の基準時間Ｃだけ経過した時刻ｔ４では、以下の処理が実行される。第２の基準時間Ｃは、例えば０．５〜３秒であり、実放送でのＩピクチャ周期である。
（１）表示器に映す映像をワンセグ動画とする
（２）ミューティングをかけて音声出力を行わない
（３）１２セグ映像のデコードは継続する
（４）ワンセグ映像のデコードは継続する
（５）１２セグ音声のデコードを中止する
（６）ワンセグ音声のデコードを実行する
【００２４】
そして、ワンセグ音声のデコードの実行によりワンセグ音声の出力が可能になった時刻ｔ５からはワンセグ音声が出力される。時刻ｔ４と時刻ｔ５の間の時間Ｄはワンセグ音声周期であり、約０．３秒である。以上のような手順で行われる従来の１２セグ放送からワンセグ放送への受信の切り替えでは、時刻ｔ２から時刻ｔ４までの期間で表示器に黒画が表示され、時刻ｔ２から時刻ｔ５までの期間で音声が途切れるという問題点があった。
【００２５】
本発明はこの問題点を解消するものであり、図３に示す第１の実施例では、受信感度が第２のレベルＬ２まで悪化した時に、以下のような手順でワンセグ映像のデコードを開始する。即ち、受信レベルがＬ１からＬ２まで下がると、その途中の時刻ｔ１から時間の計数を開始し、受信レベルがＬ２に下がってからの時間が第１の基準時間Ａを越えたか否かを判定する。時刻ｔ１以降は、映像は１２セグ動画または静止画が出力されており、音声は１２セグ音声が取得可能な感度であれば出力されている。そして、受信状態がこの第１の基準時間Ａ内に第１のレベルＬ１を超えて回復すれば、１２セグ放送からワンセグ放送への受信の切り替えは実行しない。
【００２６】
一方、第１の実施例では時刻ｔ１からごく短い所定時間Ｅ，例えば０．３秒前後経過した時刻ｔ１１で直ちにワンセグの設定を行う（設定時間Ｂは約０．３秒である）。したがって、設定時間Ｂが経過した時刻ｔ１２からワンセグ映像のデコードが実行される。このため、受信レベルがＬ２に下がってからの時間が第１の基準時間Ａとなった時刻ｔ２においては第１の実施例では以下の処理が実行される。
（１）表示器に映す映像は１２セグ動画または静止画である
（２）音声は１２セグ音声を出力する
（３）１２セグ映像のデコードは継続する
（４）ワンセグ映像のデコードを実行している
（５）１２セグ音声のデコードを実行する
【００２７】
そして、ワンセグ映像のデコードを開始した時刻ｔ１２から、実放送でのＩピクチャ周期に相当する第２の基準時間Ｃだけ経過した時刻ｔ１３ではワンセグ映像が出力可能になるので、以下の処理が実行される。第２の基準時間Ｃは、前述のように例えば０．５〜３秒である。
（１）表示器に映す映像をワンセグ動画とする
（２）ミューティングをかけて音声出力を行わない
（３）１２セグ映像のデコードは継続する
（４）ワンセグ映像のデコードは継続する
（５）１２セグ音声のデコードを中止する
（６）ワンセグ音声のデコードを実行する
【００２８】
そして、ワンセグ音声のデコードの実行によりワンセグ音声の出力が可能になった時刻ｔ１４からはワンセグ音声が出力される。時刻ｔ１３と時刻ｔ１４の間の時間Ｄはワンセグ音声周期であり、約０．３秒である。以上のような手順で行われる本発明の第１の実施例における１２セグ放送からワンセグ放送への受信の切り替えでは、表示器に黒画が表示されることがない。
【００２９】
そして、時刻ｔ１から時刻ｔ１３までの時間Ｆ（ワンセグ映像出力するために必要な時間）では、映像は１２セグ動画または静止画が出力されており、音声は１２セグ音声が出力される。また、時刻ｔ１３以降は、映像はワンセグ動画が表示器に表示され、音声は時刻ｔ１４までの間だけは音声にミューティングがかかるが、時刻ｔ１４以降はワンセグ音声が出力される。このため、１２セグ放送からワンセグ放送への受信の切り替え時に、ワンセグ動画が素早く出力されるので、車両の運転手や同乗者に切り替え処理待ちを感じさせない。
【００３０】
なお、以上説明した第１の実施例では、時刻ｔ１３において実行する処理の（３）では「１２セグ映像のデコードは継続する」であったが、時刻ｔ１３において実行する処理の（３）を、以下の（３−１）或いは（３−２）のように変更しても良い。
（３−１）１２セグ映像のデコードは停止する
（３−２）１２セグ映像のデコードを所定時間Ｓ（例えば２．０秒）後の時刻ｔ２０において停止する
【００３１】
図４は、本発明の受信装置１０における、受信状態悪化時の１２セグ放送からワンセグ放送への切り替え動作の第２の実施例を示すタイムチャートである。第２の実施例が第１の実施例と異なるのは、ワンセグ音声のデコードタイミングのみであり、ワンセグ映像のデコードタイミングは第１の実施例と同じである。よって、第２の実施例では、ワンセグ音声のデコードタイミングのみについて説明を行う。時刻についても第１の実施例と同じ時刻には同じ符号を付して説明する。
【００３２】
第２の実施例では、受信レベルがＬ２に下がってからの時間が第１の基準時間Ａを越えた時刻ｔ２１において、ワンセグ音声のデコードが開始される。時刻ｔ２１においては第２の実施例では以下の処理が実行される。
（１）表示器に映す映像は１２セグ動画または静止画である
（２）ミューティングをかけて音声出力を行わない
（３）１２セグ映像のデコードは継続する
（４）ワンセグ映像のデコードを実行している
（５）ワンセグ音声のデコードを実行する
【００３３】
そして、ワンセグ音声のデコードの実行によりワンセグ音声の出力が可能になった時刻ｔ２２からはワンセグ音声が出力される。時刻ｔ２１と時刻ｔ２２の間の時間Ｄはワンセグ音声周期であり、約０．３秒である。以上のような手順で行われる本発明の第２の実施例における１２セグ放送からワンセグ放送への受信の切り替えでは、映像が１２セグ動画または静止画が出力されており、音声は１２セグ音声が取得可能な感度であれば出力されている期間中に音声のミューティングが一時的にかかるが、その後の時刻ｔ２２においてはワンセグ音声が出力されるので、時刻ｔ２２の後の時刻ｔ１３においてワンセグ動画が出力される時には、ワンセグ放送の映像と音声が一緒に出力される。
【００３４】
このため、１２セグ放送からワンセグ放送への受信の切り替え時に、先にワンセグ音声の出力を開始し、続いてワンセグ動画の出力を開始するので、車両の運転手や同乗者に切り替え処理待ちを一層感じさせない。これは、受信状態が悪化しており、１２セグ動画または静止画が出力されるという映像出力の不安定な期間に、音声のミューティングが一時的にかかる状態になり、映像と音声の状態に大きなギャップが発生しないためである。第２の実施例においても、時刻ｔ１３において１２セグ映像のデコードを継続せずに停止する、或いは、１２セグ映像のデコードを所定時間Ｓ（例えば２．０秒）後の時刻ｔ２０において停止するようにしても良い。
【００３５】
図５は、本発明の受信装置１０における、受信状態悪化時の１２セグ放送からワンセグ放送への切り替え動作の第３の実施例を示すタイムチャートである。第１の実施例では、時刻ｔ１からごく短い所定時間Ｅが経過した時刻ｔ１１でワンセグの設定を行っていた。一方、第３の実施例では、時刻ｔ１１より前の、受信感度が第１のレベルＬ１まで悪化した時に、以下のような手順でワンセグ映像のデコードを開始する。即ち、受信レベルがＬ０からＬ１まで下がると、その途中の時刻ｔ３１から時間の計数を開始し、時刻ｔ３１からごく短い所定時間Ｅ，例えば０．３秒前後経過した時刻ｔ３２で直ちにワンセグの設定を行う（設定時間Ｂは約０．３秒である）。したがって、設定時間Ｂが経過した時刻ｔ３３からワンセグ映像のデコードが実行される。
【００３６】
このため、受信レベルがＬ１に下がってからの時刻ｔ３３においては第３の実施例では以下の処理が実行される。
（１）表示器に映す映像は１２セグ動画である
（２）音声は１２セグ音声を出力する
（３）１２セグ映像のデコードは継続する
（４）ワンセグ映像のデコードを実行する
（５）１２セグ音声のデコードを実行する
【００３７】
この後、時刻Ｔ２を過ぎて受信レベルがＬ１から更にＬ２まで下がると、その途中の時刻ｔ１から時間の計数を開始し、受信レベルがＬ２に下がってからの時間が第１の基準時間Ａを越えたか否かを判定する。時刻ｔ１以降は、映像は１２セグ動画または静止画が出力されており、音声は１２セグ音声が取得可能な感度であれば出力されている。そして、受信状態がこの第１の基準時間Ａ内に第１のレベルＬ１を超えて回復すれば、１２セグ放送からワンセグ放送への受信の切り替えは実行しない。
【００３８】
第３の実施例では、ワンセグ映像のデコードを開始した時刻ｔ３３から、実放送でのＩピクチャ周期に相当する第２の基準時間Ｃだけ経過した時刻ｔ３４においてワンセグ映像が出力可能になっている。時刻３４では以下の処理が実行される。
（１）表示器に映す映像をワンセグ動画とする
（２）音声は１２セグ音声を出力する
（３）１２セグ映像のデコードは継続する
（４）ワンセグ映像のデコードは継続する
（５）１２セグ音声のデコードは継続する
【００３９】
この後、受信レベルがＬ２に下がってからの時間が第１の基準時間Ａとなった時刻ｔ２において、第３の実施例ではワンセグ動画の出力を開始する。時刻ｔ２においては第３の実施例では以下の処理が実行される。
（１）表示器に映す映像がワンセグ動画である
（２）音声にはミューティングをかける
（３）１２セグ映像のデコードは継続する
（４）ワンセグ映像のデコードを実行している
（５）１２セグ音声のデコードを実行する
【００４０】
そして、ワンセグ音声のデコードの実行によりワンセグ音声の出力が可能になった時刻ｔ３５からはワンセグ音声が出力される。時刻ｔ２と時刻ｔ３５の間の時間Ｄはワンセグ音声周期であり、約０．３秒である。以上のような手順で行われる本発明の第３の実施例における１２セグ放送からワンセグ放送への受信の切り替えでは、受信感度が悪化してからの１２セグ放送からワンセグ放送への切り替えにおけるワンセグ動画の表示が素早く行われる。このため、１２セグ放送からワンセグ放送への受信の切り替え時に、ワンセグ動画が素早く出力されるので、車両の運転手や同乗者に切り替え処理待ちを感じさせない。
【００４１】
なお、第３の実施例でも、時刻ｔ２において実行する処理（３）「１２セグ映像のデコードは継続する」の代わりに、処理（３−１）「１２セグ映像のデコードは停止する」、或いは処理（３−２）「１２セグ映像のデコードを所定時間Ｓ（例えば２．０秒）後の時刻ｔ２０において停止する」、を実行しても良いものである。
【００４２】
図６は、本発明の受信装置１０における、受信状態悪化時の１２セグ放送からワンセグ放送への切り替え動作の第４の実施例を示すタイムチャートである。第４の実施例が第３の実施例と異なるのは、ワンセグ音声のデコードタイミングのみであり、ワンセグ映像のデコードタイミングは第３の実施例と同じである。よって、第４の実施例では、ワンセグ音声のデコードタイミングのみについて説明を行う。時刻についても第３の実施例と同じ時刻には同じ符号を付して説明する。
【００４３】
第４の実施例では、受信レベルがＬ１（準備レベル）に下がってからの時間が第１の基準時間Ａを越えた時刻ｔ４１において、ワンセグ音声のデコードが開始される。時刻ｔ４１においては第４の実施例では以下の処理が実行される。
（１）表示器に映す映像は１２セグ動画である
（２）音声にはミューティングをかける
（３）１２セグ映像のデコードは継続する
（４）ワンセグ映像のデコードを実行している
（５）ワンセグ音声のデコードを実行する
【００４４】
そして、この後の時刻ｔ４２においてワンセグ音声のデコードの実行によりワンセグ音声の出力が可能になった時刻ｔ４２からはワンセグ音声が出力される。時刻ｔ４１と時刻ｔ４２の間の時間Ｄはワンセグ音声周期であり、約０．３秒である。以上のような手順で行われる本発明の第４の実施例における１２セグ放送からワンセグ放送への受信の切り替えでは、映像が１２セグ動画または静止画が出力されており、音声は１２セグ音声が出力されている期間中に音声のミューティングが一時的にかかるが、その後の時刻ｔ４２においてはワンセグ音声が出力されるので、時刻ｔ４２の後の時刻ｔ２においてワンセグ動画が出力される時には、ワンセグ放送の映像と音声が一緒に出力される。
【００４５】
このため、１２セグ放送からワンセグ放送への受信の切り替え時に、先にワンセグ音声の出力を開始し、続いてワンセグ動画の出力を開始するので、車両の運転手や同乗者に切り替え処理待ちを一層感じさせない。これは、受信状態が悪化しており、１２セグ動画または静止画が出力されるという映像出力の不安定な期間に、音声のミューティングが一時的にかかる状態になり、映像と音声の状態に大きなギャップが発生しないためである。第４の実施例においても、時刻ｔ２において１２セグ映像のデコードを継続せずに停止する、或いは、１２セグ映像のデコードを所定時間Ｓ（例えば２．０秒）後の時刻ｔ２０において停止するようにしても良い。
【００４６】
図７は、本発明の受信装置１０における、受信状態回復時のワンセグ放送から１２セグ放送への切り替え動作の一実施例を示すタイムチャートである。ここでは、車両が時刻Ｔ０まではワンセグ放送の受信エリアを走行し、時刻Ｔ０から時刻Ｔ１１まではフリンジエリアを走行し、時刻Ｔ１１以降は１２セグ放送の受信エリアを走行する場合を考える。この場合は、車両がワンセグ放送の受信エリアからフリンジエリアに入った時点で、ワンセグ放送の受信から１２セグ放送の受信への切り替え準備を行う待機状態になる。
【００４７】
前述のように、１２セグ放送の映像のデコードが常時実行されている場合は、車両がフリンジエリアに入ってから、予め設定された待機期間（例えば１８秒間）内に、車両が１２セグ放送の受信エリアに入って受信感度が上昇すると、待機期間が経過した時刻Ｔ１２において、１２セグ放送の音声のデコードが開始され、この時点から１２セグ映像と音声が表示器に出力される。なお、１２セグ放送の映像のデコードが常時実行されず、ワンセグ映像の表示時に、１２セグ放送の映像のデコードが停止されている場合は、車両がフリンジエリアに入ってから、１２セグ放送の映像のデコードを再開すれば良い。
【００４８】
図８は、本発明の受信装置１０における、１２セグ受信中の図１に示したマイコン１５の動作の一実施例の手順を示すフローチャートである。この手順は所定時間毎、例えば、４ｍｓ毎に実行されるものとする。この実施例は切り替え時に映像と音声を同時に出す場合の処理手順の一例を示している。
【００４９】
ステップ８０１ではワンセグへの切替操作があるか否かを判定する。切替操作がない場合（ＮＯ）はステップ８０２に進み、自動切替機能がＯＮかどうかを判定する。自動切替機能がＯＦＦの場合（ＮＯ）はこのルーチンを終了するが、自動切替機能がＯＮの場合（ＹＥＳ）はステップ８０３に進み、自動切替開始信号を検知したか否かを判定する。そして、自動切替開始信号を検知しない場合（ＮＯ）はこのルーチンを終了するが、自動切替開始信号を検知した場合（ＹＥＳ）はステップ８０４に進み、ワンセグ映像のデコードを開始する。
【００５０】
続くステップ８０５では受信状態が１２セグ放送を受信できる状態に復帰したか否かを判定し、復帰していない場合（ＮＯ）はステップ８０６に進む。ステップ８０６ではヒステリシス期間（前述の実施例における第１の基準時間Ａ）が経過したか否かを判定する。ヒステリシス期間が経過していない場合（ＮＯ）はこのルーチンを終了し、所定時間毎にステップ８０６に戻ってきて同じ判定を繰り返す。そしてステップ８０６の判定で、ヒステリシス期間が経過した場合（ＹＥＳ）にステップ８０７に進む。
【００５１】
ステップ８０７では、デコードを開始してから所定時間が経過し、ワンセグ映像が出力可能か否かを判定する。そして、ワンセグ映像が出力可能でない場合（ＮＯ）はこのルーチンを終了し、所定時間毎にステップ８０７の判定を実行し、ワンセグ映像が出力可能になった場合（ＹＥＳ）にステップ８０８に進む。ステップ８０８ではワンセグ音声のデコードを開始し、ステップ８０９に進んでワンセグ受信動作を実行する、ワンセグ動作実行中は、マイコン１５は図１０に示す処理を実行する。
【００５２】
一方、ステップ８０１の処理において、ユーザーの手動切替操作等によってワンセグへの切替操作があると判定した場合（ＹＥＳ）はステップ８１０に進む。ステップ８１０ではワンセグ放送の映像と音声のデコードを開始し、続くステップ８１１に進んでワンセグ受信動作を実行する、ワンセグ動作実行中は、マイコン１５は図１０に示す処理を実行する。
【００５３】
また、ステップ８０５における判定で、受信状態が１２セグ放送を受信できる状態に復帰したとされた場合（ＹＥＳ）はステップ８１２に進む。ステップ８１２ではワンセグ映像のデコードを中止し、ステップ８１３に進んで１２セグ受信動作を実行する。１２セグ動作実行中は、マイコン１５は所定時間毎にステップ８０１から始まる処理を実行する。
【００５４】
図９は、本発明の受信装置１０における、１２セグ受信中の動作の別の実施例の手順を示すフローチャートである。この実施例は、音声だけ先に出力する場合の実施例である。図８で説明した処理手順と異なる点は、ステップ８０７におけるワンセグ映像が出力可能かどうかの判定がないだけである。従って、この場合は、ステップ８０６でヒステリシス期間が経過したと判定されたら直ちにステップ８０８においてワンセグ音声のデコードが開始される。
【００５５】
ワンセグ音声のデコードはワンセグ映像のデコードに比べて時間がかからないので、ヒステリシス期間の経過後に直ちにワンセグ音声のデコードを開始すれば、ワンセグ映像が出力可能になる前にワンセグ音声のデコードを終了することができ、ワンセグ音声だけ先に出力することが可能である。図９に示す１２セグ受信中の動作の別の実施例の手順のその他の部分は、図８で説明した手順と同じであるので、これ以上の説明を省略する。
【００５６】
図１０は、本発明の受信装置１０における、ワンセグ受信中の動作の一実施例の手順を示すフローチャートである。この手順も所定時間毎、例えば、４ｍｓ毎に実行されるものとする。
ステップ１００１では１２セグへの切替操作があるか否かを判定する。切替操作がない場合（ＮＯ）はステップ１００２に進み、自動切替機能がＯＮかどうかを判定する。自動切替機能がＯＦＦの場合（ＮＯ）はこのルーチンを終了するが、自動切替機能がＯＮの場合（ＹＥＳ）はステップ１００３に進み、自動切替開始信号を検知したか否かを判定する。そして、自動切替開始信号を検知しない場合（ＮＯ）はこのルーチンを終了するが、自動切替開始信号を検知した場合（ＹＥＳ）はステップ１００４に進む。
【００５７】
ステップ１００４では受信状態が１２セグ放送を受信できる状態に復帰したか否かを判定し、復帰していない場合（ＮＯ）はこのルーチンを終了するが、復帰している場合（ＹＥＳ）はステップ１００５に進む。ステップ１００５はヒステリシス期間（前述の実施例における第１の基準時間Ａ）が経過したか否かを判定する。ヒステリシス期間が経過していない場合（ＮＯ）はこのルーチンを終了し、所定時間毎にステップ１００５に戻ってきて同じ判定を繰り返す。そしてステップ１００５の判定で、ヒステリシス期間が経過した場合（ＹＥＳ）にステップ１００６に進む。
【００５８】
ステップ１００６では、ワンセグ放送の映像と音声のデコードを中止してステップ１００７に進む。ステップ１００７では１２セグ受信動作を実行する、１２セグ動作実行中は、マイコン１５は図８または図９に示す処理を実行する。
【００５９】
一方、ステップ１００１の処理において、ユーザーの手動切替操作等によってワンセグへの切替操作があると判定した場合（ＹＥＳ）はステップ１００８に進む。ステップ１００８ではワンセグ放送の映像と音声のデコードを中止し、続くステップ１００９に進んで１２セグ受信動作を実行する、１２セグ動作実行中は、マイコン１５は図８または図９に示す処理を実行する。
【００６０】
なお、以上説明した実施例では、１２セグ放送の映像のデコードとワンセグ放送のソフトウエアによるデコードを同時に行う処理の開始タイミングを、車両がフリンジエリアに入ったタイミング、アンテナの受信レベルが少し下がったタイミングとして説明したが、同時デコードの開始タイミングを、エラー率が基準レベルＥＬ０からレベルＥＬ１又はレベルＥＬ２まで悪化したタイミングとすること、及び、同時デコードのタイミングを複数のアンテナ間のレベル差から判定することも可能である。
【００６１】
ここで、エラー率ＥＲが基準レベルＥＬ０から第１のレベルＥＬ１まで悪化したタイミングで、ワンセグ放送のソフトウエアによるデコードを行う第５の実施例を図１１を用いて説明する。なお、説明を分かりやすくするために、処理を行う時刻については、第１の実施例で使用した時刻と同じ時刻や符号を使用して説明する。
【００６２】
図１１に示す第５の実施例では、時刻ＴＥ１でエラー率ＥＲが基準レベルＥＬ０（大きい）からこれよりも小さい第１のレベルＥＬ１まで悪化した時に、以下のような手順でワンセグ映像のデコードを開始する。即ち、エラー率ＥＲが基準レベルＥＬ０から第１のレベルＥＬ１まで下がると、その途中の時刻ｔ１から時間の計数を開始し、エラー率ＥＲが第１のレベルＥＬ１に下がってからの時間が第１の基準時間Ａを越えたか否かを判定する。時刻ｔ１以降は、映像は１２セグ動画または静止画が出力されており、音声は１２セグ音声が取得可能な感度であれば出力されている。そして、エラー率ＥＲがこの第１の基準時間Ａ内に基準レベルＥＬ０まで回復すれば、１２セグ放送からワンセグ放送への受信の切り替えは実行しない。
【００６３】
一方、第５の実施例では時刻ｔ１からごく短い所定時間Ｅ（０．３秒前後）経過した時刻ｔ１１で直ちにワンセグの設定（設定時間Ｂは約０．３秒）を行い、設定時間Ｂが経過した時刻ｔ１２からワンセグ映像のデコードが実行される。このため、エラー率ＥＲが第１のレベルＥＬ１に下がってからの時間が第１の基準時間Ａとなった時刻ｔ２においては、表示器に映す映像は１２セグ動画または静止画であり、音声は１２セグ音声であり、１２セグ映像のデコード、ワンセグ映像のデコード、及び１２セグ音声のデコードが実行されている。
【００６４】
そして、ワンセグ映像のデコードを開始した時刻ｔ１２から、第２の基準時間Ｃ（０．５〜３秒）だけ経過した時刻ｔ１３でワンセグ映像が出力可能になる。時刻ｔ１３では、表示器にワンセグ動画が映され、音声ミューティングがかかり、１２セグ映像のデコード、ワンセグ映像のデコード、及びワンセグ音声のデコードは継続するが、１２セグ音声のデコードは中止する。この後、ワンセグ音声のデコードの実行によりワンセグ音声の出力が可能になった時刻ｔ１４からはワンセグ音声が出力される。時刻ｔ１３と時刻ｔ１４の間の時間Ｄはワンセグ音声周期であり、約０．３秒である。以上のような手順で行われる本発明の第５の実施例における１２セグ放送からワンセグ放送への受信の切り替えでは、表示器に黒画が表示されることがない。
【００６５】
そして、時刻ｔ１から時刻ｔ１３までのワンセグ映像出力するために必要な時間Ｆでは、映像は１２セグ動画または静止画が出力され、音声は１２セグ音声が出力される。また、時刻ｔ１３以降は、映像はワンセグ動画が表示器に表示され、音声は時刻ｔ１４までの間だけは音声にミューティングがかかるが、時刻ｔ１４以降はワンセグ音声が出力される。このため、１２セグ放送からワンセグ放送への受信の切り替え時に、ワンセグ動画が素早く出力されるので、車両の運転手や同乗者に切り替え処理待ちを感じさせない。この実施例でも、ワンセグ動画の出力中は、１２セグ映像のデコードを前述の実施例同様に停止しても良い。
【００６６】
なお、エラー率ＥＲが時刻ＴＥ２で第１のレベルＥＬ１から第２のレベルＥＬ２まで悪化したタイミングで、ワンセグ放送のソフトウエアによるデコードを行う第６の実施例を図１２に示すが、この時の動作は図３で説明した受信状況Ｗがエラー率ＥＲに変わっただけであり、前述の第５の実施例の説明により容易にその動作が分かるので、図１２に示す第６の実施例については動作説明を省略する。
【００６７】
また、以上説明した実施例では、ワンセグ音声デコードはワンセグ映像デコードに比べて時間がかからないため、ヒステリシス期間経過後にワンセグ音声デコードを開始することにしたが、別の実現方法としては、ヒステリシス期間中にワンセグ音声デコードを開始させることも可能であり、ワンセグ音声出力のタイミングに合わせてワンセグ音声デコードを開始させるようにしても良い。
【符号の説明】
【００６８】
１ＦＬ，１ＦＲ，１ＲＬ，１ＲＲ    アンテナ
２ＦＬ，２ＦＲ，２ＲＬ，２ＲＲ    アンテナアンプ
１０    移動体用受信装置
１２    ＲＦ回路
１３    ＯＦＤＭ復調回路
１５    マイクロコンピュータ（マイコン）
１８    映像出力回路
２０    カーナビゲーション装置
【図１】
2010219678.tif 000003
【図２】
2010219678.tif 000004
【図３】
2010219678.tif 000005
【図４】
2010219678.tif 000006
【図５】
2010219678.tif 000007
【図６】
2010219678.tif 000008
【図７】
2010219678.tif 000009
【図８】
2010219678.tif 000010
【図９】
2010219678.tif 000011
【図１０】
2010219678.tif 000012
【図１１】
2010219678.tif 000013
【図１２】
2010219678.tif 000014